(57)【要約】【課題】操作者が所望の釣銭を受け取ることができ、かつ釣銭補充回数を削減して管理コストを抑えることができる貨幣入出金機システムを提供する。【解決手段】投入された貨幣を１枚ずつ取り込む受入部２１，３１と、貨幣を払い出す払出部２８，３８と、貨幣を金種別に収納する収納部２６，３６と、前記受入部と前記収納部との間において貨幣を搬送する入金搬送部２３，３５と、前記収納部と前記払出部との間において貨幣を搬送する出金搬送部２７，３５と、前記入金搬送部に設けられ、貨幣の識別計数を行う識別部２２，３２と、前記識別部により識別計数された貨幣の合計金額と決済金額とに基づいて出金する釣銭の金額及び貨幣枚数を算出し、前記釣銭を算出してから前記釣銭貨幣枚数に応じた入金確定時間の経過後に、算出した前記釣銭を前記払出部から払い出すように前記出金搬送部を制御する制御部Ｃ１，Ｃ２と、を備える。【選択図】図２
2009230349.tif 000002
【特許請求の範囲】
【請求項１】
投入された貨幣を１枚ずつ取り込む受入部と、
貨幣を払い出す払出部と、
貨幣を金種別に収納する収納部と、
前記受入部と前記収納部との間において貨幣を搬送する入金搬送部と、
前記収納部と前記払出部との間において貨幣を搬送する出金搬送部と、
前記入金搬送部に設けられ、貨幣の識別計数を行う識別部と、
前記識別部により識別計数された貨幣の合計金額と決済金額とに基づいて出金する釣銭の金額及び貨幣枚数を算出し、前記釣銭を算出してから前記釣銭貨幣枚数に応じた入金確定時間の経過後に、算出した前記釣銭を前記払出部から払い出すように前記出金搬送部を制御する制御部と、
を備える貨幣入出金機システム。
【請求項２】
前記制御部は、前記釣銭貨幣枚数が多いほど前記入金確定時間を長く設定することを特徴とする請求項１に記載の貨幣入出金機システム。
【請求項３】
前記制御部は、前記釣銭に含まれる貨幣の金種が低額なほど前記入金確定時間を長く設定することを特徴とする請求項１又は２に記載の貨幣入出金機システム。
【請求項４】
前記釣銭貨幣枚数を表示する表示部をさらに備えることを特徴とする請求項１乃至３のいずれかに貨幣入出金機システム。
【請求項５】
前記釣銭の金種別枚数を表示する表示部をさらに備えることを特徴とする請求項１乃至３のいずれかに記載の貨幣入出金機システム。
【請求項６】
前記表示部は前記入金確定時間を表示することを特徴とする請求項４又は５に記載の貨幣入出金機システム。
【請求項７】
前記表示部は前記釣銭貨幣枚数を少なくする追加投入金額又は追加投入金種別枚数を表示することを特徴とする請求項４乃至６のいずれかに記載の
【請求項８】
決済処理の開始指示が与えられる決済処理開始指示入力手段をさらに備え、前記制御部は前記決済処理開始指示入力手段を介して開始指示が与えられると、前記入金確定時間の経過前に前記釣銭を前記払出部から払い出すように前記出金搬送部を制御することを特徴とする請求項１乃至７のいずれかに記載の貨幣入出金機システム。
【請求項９】
前記入金確定時間を遅延させる遅延指示が与えられる遅延手段をさらに備え、前記制御部は前記遅延手段を介して遅延指示が与えられると、前記入金確定時間の経過を所定時間停止させるか、または前記入金確定時間を所定時間延長させることを特徴とする請求項１乃至８のいずれかに記載の貨幣入出金機システム。
【発明の詳細な説明】
【技術分野】
【０００１】
本発明は、硬貨又は紙幣を入金及び出金する貨幣入出金機システムに関するものである。
【背景技術】
【０００２】
従来、商品コード読み取り部による商品コードの読み取り等に基づいて決済金額を算出し、現金が投入されたら決済処理を行う入出金装置が知られている（例えば特許文献１参照）。決済金額よりも投入金額が多い場合は決済処理にて釣銭の出金が行われる。
【０００３】
このような従来の入出金装置には、現金投入終了ボタンが設けられており、このボタンを押すことで決済処理が行われる。しかし、現金投入終了ボタンを押すという操作が必須になるため、操作手数が増え、操作が煩雑になるという問題があった。また、現金投入終了ボタンを押し損ねたり、押し忘れたりすることにより、決済処理が開始されず、処理効率を低下させるという問題があった。
【０００４】
操作数を削減するため、現金投入終了ボタンを設けず、投入金額が決済金額を超えると自動的に決済処理を開始する入出金装置が知られている。しかし、このような入出金装置では、所望の釣銭を受け取るための入金の途中でも、投入金額が決済金額を超えると入金が確定して釣銭が出金されるため、所望する釣銭を受け取ることができないという問題があった。
【０００５】
また、この所望の釣銭とは一般に貨幣枚数が少ないものである。従って、所望される釣銭が出金されないということは、多くの貨幣枚数の釣銭が出金されるということである。そのため、入出金装置への釣銭貨幣の補充の頻度が高くなり、管理コストが増加するという問題があった。
【特許文献１】特開２００７−２３３８２９号公報
【発明の開示】
【発明が解決しようとする課題】
【０００６】
本発明は操作者が所望の釣銭を受け取ることができ、かつ釣銭補充回数を削減して管理コストを抑えることができる貨幣入出金機システムを提供することを目的とする。
【課題を解決するための手段】
【０００７】
本発明の一態様による貨幣入出金機システムは、投入された貨幣を１枚ずつ取り込む受入部と、貨幣を払い出す払出部と、貨幣を金種別に収納する収納部と、前記受入部と前記収納部との間において貨幣を搬送する入金搬送部と、前記収納部と前記払出部との間において貨幣を搬送する出金搬送部と、前記入金搬送部に設けられ、貨幣の識別計数を行う識別部と、前記識別部により識別計数された貨幣の合計金額と決済金額とに基づいて出金する釣銭の金額及び貨幣枚数を算出し、前記釣銭を算出してから前記釣銭貨幣枚数に応じた入金確定時間の経過後に、算出した前記釣銭を前記払出部から払い出すように前記出金搬送部を制御する制御部と、を備えるものである。
【０００８】
本発明の一態様による貨幣入出金機システムにおいては、前記制御部は、前記釣銭貨幣枚数が多いほど前記入金確定時間を長く設定することが好ましい。
【０００９】
本発明の一態様による貨幣入出金機システムにおいては、前記制御部は、前記釣銭に含まれる貨幣の金種が低額なほど前記入金確定時間を長く設定することが好ましい。
【００１０】
本発明の一態様による貨幣入出金機システムにおいては、前記釣銭貨幣枚数を表示する表示部をさらに備えることが好ましい。
【００１１】
本発明の一態様による貨幣入出金機システムにおいては、前記釣銭の金種別枚数を表示する表示部をさらに備えることが好ましい。
【００１２】
本発明の一態様による貨幣入出金機システムにおいては、前記表示部は前記入金確定時間を表示することが好ましい。
【００１３】
本発明の一態様による貨幣入出金機システムにおいては、前記表示部は前記釣銭貨幣枚数を少なくする追加投入金額又は追加投入金種別枚数を表示することが好ましい。
【００１４】
本発明の一態様による貨幣入出金機システムにおいては、決済処理の開始指示が与えられる決済処理開始指示入力手段をさらに備え、前記制御部は前記決済処理開始指示入力手段を介して開始指示が与えられると、前記入金確定時間の経過前に前記釣銭を前記払出部から払い出すように前記出金搬送部を制御することが好ましい。
【００１５】
本発明の一態様による貨幣入出金機システムにおいては、前記入金確定時間を遅延させる遅延指示が与えられる遅延手段をさらに備え、前記制御部は前記遅延手段を介して遅延指示が与えられると、前記入金確定時間の経過を所定時間停止させるか、または前記入金確定時間を所定時間延長させることが好ましい。
【発明の効果】
【００１６】
本発明によれば、操作者が所望の釣銭を受け取ることができ、かつ釣銭補充回数を削減して管理コストを抑えることができる。
【発明を実施するための最良の形態】
【００１７】
以下、本発明の実施の形態による貨幣入出金機システムを図面に基づいて説明する。なお、貨幣とは紙幣及び硬貨のことを意味する。
【００１８】
貨幣入出金機システムは制御端末機及び貨幣入出金機を備える。制御端末機は与えられた商品情報から決済金額を算出し、貨幣入出金機から預かり金額を受け取り、貨幣入出金機に釣銭金額を出力する。制御端末機は例えばＰＯＳレジスタ（販売時点管理機能を有する金銭登録機）である。
【００１９】
図１及び図２に示すように貨幣入出金機は硬貨を取り扱う硬貨入出金機２と、紙幣を取り扱う紙幣入出金機３とを有する。
【００２０】
硬貨入出金機２は、図１及び図２に示すように、筐体２０を備え、筐体２０には硬貨を受け入れる硬貨受入部２１及び表示部１０が設けられている。表示部１０は貨幣入出金機への入金額、及び釣銭額を表示する。
【００２１】
硬貨受入部２１は受け入れた硬貨を１枚ずつ機内へ取り込む。硬貨受入部２１の後方には取り込まれた硬貨を搬送する入金搬送部２３が延びている。
【００２２】
この入金搬送部２３の途中には硬貨の識別・計数を行う硬貨識別部２２と、硬貨選別部２４が設けられている。識別部２２で識別・計数された硬貨は硬貨選別部２４で金種が選別され、硬貨収納部２６に金種別に収納される。
【００２３】
出金搬送部２７は、硬貨収納部２６から繰り出された硬貨を硬貨払出部２８へ搬送する。硬貨払出部２８は硬貨を機外から容易に取り出せるように払い出す。
【００２４】
硬貨入出金機２は制御部Ｃ１を有する。制御部Ｃ１は硬貨入出金機２の各部の動作制御を行う。
【００２５】
また、図１及び図２に示すように、紙幣入出金機３は筐体３０と、筐体３０に設けられ、紙幣を１枚ずつ取り込む紙幣受入部３１と、筐体３０内に設けられ紙幣受入部３１によって取り込まれた紙幣を搬送する紙幣搬送部３５と、紙幣搬送部３５に設けられ紙幣の識別・計数を行う紙幣識別部３２と、を備えている。
【００２６】
また、図２に示すように、紙幣搬送部３５には紙幣を金種別に収納する紙幣収納部３６、紙幣払出部３８、及び出金リジェクト部３９が連結されている。出金リジェクト部３９は、紙幣収納部３６から繰り出された紙幣のうち、斜行等により紙幣識別部３２で識別のできない紙幣を出金リジェクト紙幣として収納する。
【００２７】
また、紙幣受入部３１から取り込まれた紙幣のうち、汚損等により紙幣識別部３２で識別のできない紙幣は入金リジェクト紙幣として紙幣払出部３８に収納され、機外から容易に取り出せるように払い出される。
【００２８】
紙幣入出金機３は制御部Ｃ２を有する。制御部Ｃ２は紙幣入出金機３の各部の動作制御を行う。
【００２９】
また、制御端末機（図示せず）、硬貨入出金機２、紙幣入出金機３の少なくともいずれか１つに入金確定時間と釣銭貨幣枚数との対応テーブルを記憶する記憶部が設けられている。ここで入金確定時間とは、投入金額（入金額）が決済金額以上になって釣銭額を算出してから、入金額を確定して決済処理を開始するまでの待ち時間を意味する。
【００３０】
入出金機の制御部（制御部Ｃ１及び／又は制御部Ｃ２）は、制御端末機から与えられる釣銭金額から釣銭貨幣枚数を算出し、記憶部に記憶された対応テーブルを参照して入金確定時間を決定する。
【００３１】
そして、決定した入金確定時間の経過後に、算出した釣銭の出金等の決済処理を開始する。入金確定時間の経過途中で追加入金された場合は、再度釣銭貨幣枚数を算出して入金確定時間を決定する。
【００３２】
入金確定時間は、釣銭貨幣枚数が多いほど、長くなるように設定される。釣銭貨幣枚数が多い場合は、釣銭貨幣枚数を少なくするために操作者が追加入金を行うことが多いと考えられるためである。
【００３３】
対応テーブルの一例を図３に示す。例えば決済金額が１０１円であり、紙幣受入部３１から１０００円札が投入された場合、釣銭額は８９９円となり釣銭貨幣枚数は１４枚となる。制御部は対応テーブルを参照して入金確定時間を１０秒と設定し、１０秒経過後に決済処理が行われる。
【００３４】
操作者はこの１０秒の間に追加入金を行うことができる。例えばあと１円を追加すれば釣銭額は９００円となり、釣銭貨幣枚数を５枚に減らすことができる。
【００３５】
また、例えば決済金額が５００円であり、紙幣受入部３１から１０００円札が投入された場合、釣銭額は５００円となり釣銭貨幣枚数は１枚となる。対応テーブルの参照により入金確定時間が１秒であることが検出され、１秒経過後に決済処理が行われる。
【００３６】
釣銭貨幣枚数が少ない場合、操作者からの追加入金が行われることは少ないと考えられるため、入金確定時間は短く設定され、速やかに決済処理が行われる。
【００３７】
このように釣銭貨幣枚数に応じて決済処理を開始するまでの時間（入金確定時間）を変えることで、操作者は、釣銭貨幣枚数が多い場合は釣銭貨幣枚数を減らすための追加入金の時間的余裕が与えられ、追加入金を行って所望の釣銭を受け取ることができる。また、釣銭貨幣枚数が少ない場合は迅速に決済処理が開始されるため、処理効率を向上できる。
【００３８】
また、釣銭として出金される貨幣枚数を減らすことができるため、入出金機への釣銭用貨幣補充頻度を減らすことができ、管理コストを抑えることができる。
【００３９】
上述した実施の形態は一例であって限定的なものではないと考えられるべきである。例えば、上記実施形態では入金確定時間を釣銭枚数に応じて設定していたが、さらに釣銭に低額金種（１円や５円等）が含まれる場合は、高額金種が含まれる場合より入金確定時間を長くするように設定してもよい。
【００４０】
例えば、釣銭が８００円（５００円硬貨１枚と１００円硬貨３枚）と８円（５円硬貨１枚と１円硬貨３枚）は、釣銭貨幣枚数は４枚で同じだが、８００円より８円の入金確定時間を長く設定する。一般に、低額金種よりも高額金種の方が釣銭として好まれるためである。
【００４１】
また、図４に示すように、表示部１０に釣銭貨幣枚数を表示するようにしてもよい。
【００４２】
また、図５に示すように、表示部１０に釣銭の金種別枚数を表示するようにしてもよい。操作者が追加入金を行うか否か判断する指標として用いることができる。
【００４３】
さらに、図６に示すように、表示部１０に入金確定時間（決済処理が開始されるまでの待ち時間）を表示するようにしてもよい。追加投入貨幣を準備する（探したり取り出したりする）際の時間目安とすることができる。
【００４４】
また、入金確定時間を所定時間増加させる（入金確定時間の経過を所定時間停止させる）一時停止手段を設けるようにしてもよい。一時停止手段は、例えば筐体２０に設けられる操作ボタンとして構成することができる。また、図７に示すように、表示部１０をタッチパネルとし、この表示部１０にタッチ指定可能なボタン１１として表示するようにしてもよい。
【００４５】
追加投入貨幣の準備（取り出し等）に時間がかかりそうな時などに、入金確定時間の経過を一時停止させることで、所望の入金・釣銭の受け取りが可能となる。
【００４６】
また、決済処理を即時開始させる決済処理開始手段を設けるようにしてもよい。決済処理開始手段は、例えば筐体２０に設けられる操作ボタンとして構成することができる。また、図８に示すように、表示部１０をタッチパネルとし、この表示部１０にタッチ指定可能なボタン１２として表示するようにしてもよい。
【００４７】
追加投入する貨幣がない場合は、釣銭に応じた入金確定時間を待たずに決済処理を開始することができるため、処理効率をさらに向上できる。
【００４８】
また、図９に示すように、表示部１０に釣銭貨幣枚数を少なくするために必要な追加投入金種枚数（又は追加投入金額）を表示するようにしてもよい。操作者が釣銭貨幣枚数を少なくするための計算を行う必要がなくなり、また最適な釣銭を受け取るために必要な金種枚数を一目で認識できる。従って、操作者が釣銭貨幣枚数を少なくするための貨幣の追加投入を行い易くなり、貨幣入出金機からの出金枚数を減らすことができる。
【００４９】
上記実施形態では、釣銭貨幣枚数の算出や入金確定時間の検出を入出金機の制御部Ｃ１及び／又はＣ２が行っていたが、制御端末機が行うようにしてもよい。また、上述したような表示部１０の表示を制御端末機に設けられた表示部が行うようにしてもよい。
【００５０】
本発明の技術的範囲は特許請求の範囲によって示され、特許請求の範囲と均等の意味および範囲内でのすべての変更が含まれることが意図される。
【図面の簡単な説明】
【００５１】
【図１】本発明の実施形態による貨幣入出金機システムに含まれる貨幣入出金機の斜視図である。
【図２】同実施形態による貨幣入出金機システムに含まれる貨幣入出金機のブロック図である。
【図３】釣銭貨幣枚数と入金確定時間の対応テーブルの一例を示す図である。
【図４】表示部に表示される画面の一例を示す図である。
【図５】表示部に表示される画面の一例を示す図である。
【図６】表示部に表示される画面の一例を示す図である。
【図７】表示部に表示される画面の一例を示す図である。
【図８】表示部に表示される画面の一例を示す図である。
【図９】表示部に表示される画面の一例を示す図である。
【符号の説明】
【００５２】
２  硬貨入出金機
３  紙幣入出金機
１０  表示部
１１  一時停止手段
１２  決済処理開始手段
２０、３０  筐体
２１  硬貨受入部
２２  硬貨識別部
２３  入金搬送部
２４  硬貨選別部
２６  硬貨収納部
２７  出金搬送部
２８  硬貨払出部
３１  紙幣受入部
３２  紙幣識別部
３６  紙幣収納部
３８  紙幣払出部
３９  出金リジェクト部
Ｃ１、Ｃ２  制御部
【図１】
2009230349.tif 000003
【図２】
2009230349.tif 000004
【図３】
2009230349.tif 000005
【図４】
2009230349.tif 000006
【図５】
2009230349.tif 000007
【図６】
2009230349.tif 000008
【図７】
2009230349.tif 000009
【図８】
2009230349.tif 000010
【図９】
2009230349.tif 000011